(57)【要約】【課題】文字の削除および入力が連続しておこなわれた場合であっても、削除された文字の残像を目立たなくすることで、ユーザーに与える違和感を軽減すること。【解決手段】表示制御装置は、表示部に表示する文字データを取得する文字取得部と、文字取得部が取得した文字データに応じた文字を、表示部における文字表示領域に表示させる表示制御部とを備える。表示制御部は、文字表示領域において、予め定められた形状を有する画素群を複数用いて、文字取得部が取得した文字データに応じた文字を表示させる。【選択図】図２
2011242659.tif 000002
【特許請求の範囲】
【請求項１】
複数の画素を備えた表示部における文字の表示を制御する表示制御方法であって、
文字データを取得する文字取得工程と、
前記文字取得工程で取得された文字データに応じた文字を、前記表示部における文字表示領域に表示させる表示制御工程と
を有し、
前記表示制御工程では、
前記文字表示領域において、予め定められた形状をなす画素群を複数用いて、前記文字取得工程で取得された文字データに応じた文字を表示させる
ことを特徴とする表示制御方法。
【請求項２】
前記文字表示領域は、
前記画素群を複数含むとともに一の文字を表示するための、部分領域を複数有し、
前記表示制御工程では、
一つの前記部分領域につき、前記文字取得工程で取得された文字データに応じた文字の一つを表示させる
ことを特徴とする請求項１に記載の表示制御方法。
【請求項３】
前記文字表示領域において、
互いに隣り合う２つの画素群同士は、文字の表示に用いない画素が間に設けられていることで、互いに離間している
ことを特徴とする請求項１または２に記載の表示制御方法。
【請求項４】
前記複数の画素群のそれぞれは、
表示用セグメント形状を有する
ことを特徴とする請求項１乃至３のいずれか一項に記載の表示制御方法。
【請求項５】
前記複数の画素群のそれぞれは、
ドット形状を有する
ことを特徴とする請求項１乃至３のいずれか一項に記載の表示制御方法。
【請求項６】
前記表示制御工程では、
前記文字取得工程で取得された文字データに応じた文字を表示する前に、前記複数の画素群のそれぞれを、文字を表示させたときと異なる階調レベルで、予め表示させておく
ことを特徴とする請求項１乃至５のいずれか一項に記載の表示制御方法。
【請求項７】
複数の画素を備えた表示部における文字の表示を制御する表示制御装置であって、
文字データを取得する文字取得部と、
前記文字取得部が取得した文字データに応じた文字を、前記表示部における文字表示領域に表示させる表示制御部と
を備え、
前記表示制御部は、
前記文字表示領域において、予め定められた形状をなす画素群を複数用いて、前記文字取得部が取得した文字データに応じた文字を表示させる
ことを特徴とする表示制御装置。
【請求項８】
コンピューターを、
文字データを取得する文字取得手段、
文字取得手段が取得した文字データに応じた文字を、表示部における文字表示領域に表示させる表示制御手段であって、予め定められた形状をなす画素群を複数用いて、前記文字取得手段が取得した文字データに応じた文字を表示させる表示制御手段
として機能させるプログラム。
【発明の詳細な説明】
【技術分野】
【０００１】
本発明は、表示制御方法、表示制御装置およびプログラムに関する。
【背景技術】
【０００２】
共通電極が形成された基板と、画素ごとに画素電極が形成された基板との間に、電気泳動材料液が注入されたマイクロカプセルを画素ごとに配置した、電気泳動方式を利用したディスプレイが知られている（たとえば、特許文献１参照。）。このようなディスプレイによれば、表示情報に対応する画素の画素電極に対し、電圧を印加してマイクロカプセル内の粒子を移動させることにより、表示情報に対応する画素を着色し、表示情報として表示することができる。一方、文字の入力用に、画面上にキーボードを表示させ、表示されたキーボードのうちの任意のキーが選択された場合に、選択されたキーをバッファ用の文字入力欄に表示するソフトウェアキーボードが知られている（たとえば、特許文献２参照。）。
【先行技術文献】
【特許文献】
【０００３】
【特許文献１】特開２００９−２３７３９５号公報
【特許文献２】特開２００８−２５７５５１号公報
【発明の概要】
【発明が解決しようとする課題】
【０００４】
しかしながら、特許文献１に記載されているような電気泳動方式を用いたディスプレイにおいては、その構造上、表示を切り替えた際に、過去の表示が残像として残ってしまう。このため、このようなディスプレイを、特許文献２に記載されているようなソフトウェアキーボードの表示に用いた場合、表示された文字が削除された場合であっても、この削除された文字の残像が残って表示されてしまう。さらに、文字の入力及び文字の削除が繰り返された場合、削除された複数の文字の残像が積み重なって表示されてしまう。このような残像は、文字の表示領域において目立つため、ユーザーに違和感を与えてしまう。
【０００５】
本発明にかかる幾つかの態様は、上記課題を解決することで、文字の削除および入力が連続しておこなわれた場合であっても、削除された文字の残像を目立たなくすることで、ユーザーに与える違和感を軽減することができる表示制御方法、表示制御装置およびプログラムを提供するものである。
【課題を解決するための手段】
【０００６】
上記課題を解決するため、本発明の第１の態様の表示制御方法は、複数の画素を備えた表示部における文字の表示を制御する表示制御方法であって、文字データを取得する文字取得工程と、前記文字取得工程で取得された文字データに応じた文字を、前記表示部における文字表示領域に表示させる表示制御工程とを有し、前記表示制御工程では、前記文字表示領域において、予め定められた形状をなす画素群を複数用いて、前記文字取得工程で取得された文字データに応じた文字を表示させることを特徴とする。上記本発明に係る表示制御方法によれば、文字を消去した場合にこの文字の残像が生じる場合であっても、この残像を、予め定められた形状をなす画素群を複数組み合わせたものとすることができる。また、消去された文字の残像に対し、新たに入力された文字を画素群単位で重ねて表示させることができる。これにより、削除された文字の残像のうち、新たに入力された文字を構成する複数の画素群のうち一の画素群と重なる画素群に生じた残像は、この新たに入力された文字の画像の一部によって上書きされる。さらに、削除された文字の残像のうち、新たに入力された文字を構成する複数の画素群のいずれとも重ならない画素群に生じた残像も目立たなくすることができるため、ユーザーに対して与える違和感を軽減することができる。
【０００７】
上記表示制御方法において、前記文字表示領域は、前記画素群を複数含むとともに一の文字を表示するための、部分領域を複数有し、前記表示制御工程では、一つの前記部分領域につき、前記文字取得工程で取得された文字データに応じた文字の一つを表示させてもよい。かかる構成によれば、部分領域以外の領域に残像が表示されたり、複数の部分領域にまたがって残像が表示されたりすることがないため、残像をより目立たなくしてユーザーに対して与える違和感を軽減することができる。
【０００８】
上記表示制御方法において、前記文字表示領域において、互いに隣り合う２つの画素群同士は、文字の表示に用いない画素が間に設けられていることで、互いに離間していてもよい。かかる構成によれば、画素群が着色されたときに、たとえば文字が表示されたときに、相対的に画素群の輪郭を強調することができ、結果的に文字表示領域に表示された文字を強調する効果を得ることができる。
【０００９】
上記表示制御方法において、前記複数の画素群のそれぞれは、表示用セグメント形状を有してもよい。かかる構成によれば、複数の画素群のそれぞれを従来の表示装置に用いられている表示用セグメント形状としたことで、削除された文字の残像をより目立たなくし、ユーザーに対して与える違和感をより軽減することができる。
【００１０】
上記表示制御方法において、前記複数の画素群のそれぞれは、ドット形状を有してもよい。かかる構成によれば、複数の画素群のそれぞれを従来の表示装置に用いられているドット形状としたことで、削除された文字の残像をより目立たなくし、ユーザーに対して与える違和感をより軽減することができる。
【００１１】
上記表示制御方法において、表示制御工程では、前記文字取得工程で取得された文字データに応じた文字を表示する前に、前記複数の画素群のそれぞれを、文字を表示させたときと異なる階調レベルで、予め表示させておくことを特徴とする。かかる構成によれば、文字の表示に用いられなかった画素群でも既に残像が生じているので、文字を消去したときに生じる残像が、文字の表示に用いられなかった画素群で生じている残像にまぎれる。そのため、文字を消去したときに生じる残像をより目立たなくすることができる。また、文字の書き込みと消去を繰り返すと、残像が蓄積され、画素群によって残像の濃さが異なることがある。しかし、文字を表示する前に既に複数の画素群のそれぞれに残像が生じているため、ユーザーが不均一な濃度の残像から受ける不快感を低減することが出来る。さらに、文字の表示に用いられた画素群と、文字の表示に用いられなかった画素群とでは、表示される階調レベルが異なるので、ユーザーは、表示された文字を容易に認識することができる。
【００１２】
また、本発明の第２の態様の表示制御装置は、複数の画素を備えた表示部における文字の表示を制御する表示制御装置であって、文字データを取得する文字取得部と、前記文字取得部が取得した文字データに応じた文字を、前記表示部における文字表示領域に表示させる表示制御部とを備え、前記表示制御部は、前記文字表示領域において、予め定められた形状をなす画素群を複数用いて、前記文字取得部が取得した文字データに応じた文字を表示させることを特徴とする。上記本発明に係る表示制御装置によれば、文字を消去した場合にこの文字の残像が生じる場合であっても、この残像を、予め定められた形状をなす画素群を複数組み合わせたものとすることができる。また、消去された文字の残像に対し、新たに入力された文字を画素群単位で重ねて表示させることができる。これにより、削除された文字の残像のうち、新たに入力された文字を構成する複数の画素群のうち一の画素群と重なる画素群に生じた残像は、この新たに入力された文字の画像の一部によって上書きされる。さらに、削除された文字の残像のうち、新たに入力された文字を構成する複数の画素群のいずれとも重ならない画素群に生じた残像も目立たなくすることができるため、ユーザーに対して与える違和感を軽減することができる。
【００１３】
また、本発明の第３の態様のプログラムは、コンピューターを、文字データを取得する文字取得手段、文字取得手段が取得した文字データに応じた文字を、表示部における文字表示領域に表示させる表示制御手段であって、予め定められた形状をなす画素群を複数用いて、前記文字取得手段が取得した文字データに応じた文字を表示させる表示制御手段として機能させる。上記本発明に係るプログラムによれば、当該プログラムをコンピューターが実行することにより、コンピューターは、文字を消去した場合にこの文字の残像が生じる場合であっても、この残像を、予め定められた形状をなす画素群を複数組み合わせたものとすることができる。また、消去された文字の残像に対し、新たに入力された文字を画素群単位で重ねて表示させることができる。これにより、削除された文字の残像のうち、新たに入力された文字を構成する複数の画素群のうち一の画素群と重なる画素群に生じた残像は、この新たに入力された文字の画像の一部によって上書きされる。さらに、削除された文字の残像のうち、新たに入力された文字を構成する複数の画素群のいずれとも重ならない画素群に生じた残像も目立たなくすることができるため、ユーザーに対して与える違和感を軽減することができる。
【図面の簡単な説明】
【００１４】
【図１】実施例１に係る表示装置１００の外観の一例を示す。
【図２】表示装置１００の機能構成の一例を示す。
【図３】ディスプレイ１２０に表示された画面の一例を示す。
【図４】文字入力枠３１２の構成例を示す。
【図５】表示制御部２１４による表示制御処理の手順の一例を示す。
【図６】表示制御処理による文字の表示例を示す。
【図７】表示制御処理による文字の表示例を示す。
【図８】表示制御処理による文字の表示例を示す。
【図９】表示制御処理による文字の表示例を示す。
【図１０】表示制御処理による文字の表示例を示す。
【図１１】表示制御処理による文字の表示例を示す。
【図１２】表示制御処理による文字の表示例を示す。
【図１３】表示制御処理による文字の表示例を示す。
【図１４】文字入力枠３１２の他の構成例を示す。
【図１５】表示制御処理による文字の他の表示例を示す。
【図１６】表示制御処理による文字の他の表示例を示す。
【図１７】表示制御処理による文字の他の表示例を示す。
【図１８】表示装置１００のハードウェア構成の一例を示す。
【発明を実施するための形態】
【００１５】
（実施例１）
図１は、実施例１に係る表示装置１００の外観の一例を示す。表示装置１００は、本発明にかかる表示制御装置の一例である。表示装置１００は、たとえば文字データを表示することが可能な、ＰＤＡ（Ｐｅｒｓｏｎａｌ  Ｄｉｇｉｔａｌ  Ａｓｓｉｓｔａｎｔ）、携帯電話、電子ブック、携帯音楽再生装置、携帯動画再生装置、携帯ナビゲーション装置などである。上記に限らず、本発明にかかる表示制御装置は、少なくとも文字データを表示することが可能な装置であればよく、ノートＰＣ（Ｐｅｒｓｏｎａｌ  Ｃｏｍｐｕｔｅｒ）、デスクトップＰＣなどによって実現されてもよい。
【００１６】
表示装置１００は、筐体１１０、入力部の一例としてのキーボード１１５、および表示部の一例としてのディスプレイ１２０を備える。筐体１１０は、電源、ＣＰＵ、メモリー、ハードディスク、キーボード１１５、ディスプレイ１２０、ディスプレイ駆動回路１２２など、表示装置１００を動作させるための各種ハードウェアを収容する。
【００１７】
キーボード１１５は、複数の入力キーを有する。キーボード１１５は、複数の入力キーをユーザーが操作することにより、操作された入力キーに応じた文字または制御信号を、表示装置１００に対して入力する。
【００１８】
ディスプレイ１２０は、ディスプレイ駆動回路１２２（図１８参照）によって駆動され、キーボード１１５によって入力された文字データに応じた文字を表示する。ディスプレイ１２０は、キーボード１１５によって入力された文字データに応じた文字に限らず、文書、画像、管理情報、ボタン、アイコンなどを表示することもできる。実施例１の表示装置１００は、ディスプレイ１２０として、電気泳動方式を利用した電子ペーパーを用いている。ディスプレイ１２０は、電子ペーパーに限らず、液晶ディスプレイ、プラズマディスプレイ、有機ＥＬディスプレイなど、他の表示デバイスを表示部として備えてもよい。
【００１９】
表示装置１００は、キーボード以外の入力部が設けられていてもよい。例えば、ディスプレイ１２０の表示面に、タッチパネルが重ねて設けられていてもよい。この場合、表示装置１００は、このタッチパネルによって、文字データが入力されてもよい。表示装置１００は、文字データを入力するための入力部が設けられていなくてもよい。すなわち、表示装置１００は、外部から文字データが入力されるものや、文字データの入力機能を有さないものであってもよい。
【００２０】
図２は、表示装置１００の機能構成の一例を示す。表示装置１００は、文字取得部２１２、および表示制御部２１４を備える。文字取得部２１２は、文字データを取得する。具体的には、文字取得部２１２は、キーボード１１５によって入力された文字データを取得する。ディスプレイ１２０に表示させる文字は、キーボード１１５によって入力されたものに限らない。たとえば、表示装置１００は、表示を伴うソフトウェアの処理結果などとして、文字をディスプレイ１２０に表示してもよい。このような場合、文字取得部２１２は、ディスプレイ１２０に表示させる文字を、ＣＰＵ、メモリー、または外部の装置などから取得してもよい。
【００２１】
表示制御部２１４は、ディスプレイ１２０による各種データの表示を制御する。たとえば、文字取得部２１２が文字データを取得した場合、表示制御部２１４は、文字取得部２１２が取得した文字データに応じた文字をディスプレイ１２０に表示させる。具体的には、表示制御部２１４は、文字取得部２１２が取得した文字データに応じた文字を、ディスプレイ１２０における文字表示領域に表示させる。
【００２２】
文字表示領域は、文書作成ソフトウェアのように、既に表示されている文書に続けて入力された文字を表示することができるような主画面上の領域であってもよい。また、文字表示領域は、検索キーワードを入力するボップアップ画面や、ツールバーのように、主画面に対して重ねてまたは並べて設けられている副画面上の領域であってもよい。
【００２３】
実施例１の表示制御部２１４は、文字表示領域において、予め定められた形状をなす画素群を複数用いて、文字取得部２１２が取得した文字データに応じた文字を表示させる。ここで、画素群とは、複数の画素からなる、画素の塊を示す。具体的には、表示制御部２１４は、文字表示領域において、画素群を文字の表示に用い、文字表示領域に含まれる複数の画素のうち画素群に含まれない画素は、文字の表示に用いない。そして、表示制御部２１４は、文字表示領域において、一または複数の画素群を選択的に表示させることにより、１つの文字を表示させる。
【００２４】
たとえば、複数の画素群のそれぞれには、表示用セグメント形状を有するものが用いられる。たとえば、画素群の形状としては、ｎ列ｍ行の複数の画素からなる長方形や平行四辺形のセグメント形状が用いられる。この場合、画素群の形状は、完全な長方形や平行四辺形でなくてもよく、角を丸くする、角を落とすなどの加工を加えられたものであってもよい。また、画素群は、表示に用いない画素が一部含まれていることにより、当該画素群が表示されたときに、この表示に用いない画素が隙間や模様となるように構成されていてもよい。
【００２５】
他の例として、複数の画素群のそれぞれには、ドット形状を有するものが用いられる。たとえば、画素群の形状としては、複数の画素からなる正方形が用いられる。この場合も、画素群の形状は、完全な正方形でなくてもよく、角を丸くする、角を落とすなどの加工を加えられたものであってもよい。このように、画素群をドット形状とするこの場合も、画素群は、表示に用いない画素が一部含まれていることにより、当該画素群が表示されたときに、この表示に用いない画素が隙間や模様となるように構成されていてもよい。
【００２６】
なお、複数の画素群のそれぞれは、表示用セグメント形状、ドット形状に限定するものではない。複数の画素群のそれぞれは、画素群を組み合わせることによって文字をなすことができるものであれば、どのような形状を有していてもよい。
【００２７】
文字表示領域は、一の文字を表示するための部分領域を複数有するものであってもよい。一の部分領域は画素群を複数含んでいる。この場合、表示制御部２１４は、一つの部分領域につき、文字取得部２１２が取得した文字データに応じた文字の一つを表示させるようにしてもよい。たとえば、文字表示領域には、ｐ個の部分領域が並べて設けられていてよい。この場合、表示制御部２１４は、一つの部分領域につき、文字取得部２１２が取得した文字データに応じた文字の一つを表示させることで、最大ｐ個の文字を文字表示領域に表示させるようにしてもよい。また、文字表示領域には、複数の部分領域がｑ列ｒ行に並べて設けられていてよい。この場合、表示制御部２１４は、一つの部分領域につき、文字取得部２１２が取得した文字データに応じた文字の一つを表示させることで、最大ｑ×ｒ個の文字を文字表示領域に表示させるようにしてもよい。
【００２８】
なお、文字領域は上記したような部分領域を有さないものであってもよい。この場合、文字表示領域に表示させる文字数および文字幅の制限がなくなるため、表示制御部２１４は、より多くの文字を文字表示領域に表示させたり、より幅の広い文字を文字表示領域に表示させたりすることができる。
【００２９】
文字表示領域において、互いに隣り合う２つの画素群同士は、間に文字の表示に用いない画素が設けられていることで、互いに離間していてもよい。一の画素を所定の階調レベルで着色するために、所定の駆動電圧をその画素に供給しても、その画素の表示履歴によっては、所定の階調レベルで着色できないことがある。そのため、互いに隣り合う２つの画素群をいずれも同じ階調レベルで着色しようとしたとき、各画素群の中では階調レベルが均一であっても、２つの画素群の間で階調レベルが異なることが起こりうる。このとき、互いに隣り合う２つの画素群の間にユーザーに認識可能な非着色領域が設けられていなければ、２つの画素群の間での階調レベルの差がユーザーに認識される。そのため、ユーザーは不快感を覚える。しかし、各々の内部で階調レベルが均一な互いに隣り合う２つの画素群の間に、文字の表示に用いない画素が設けられていれば、互いに隣り合う２つの画素群の間に階調レベルの差があっても、その階調レベルの差は認識されにくい。そのため、ユーザーが不快感を覚えることを低減できる。
【００３０】
表示制御部２１４は、文字取得部２１２が取得した文字を表示する前に、複数の画素群のそれぞれを、文字を表示させたときと異なる階調レベルで、予め表示させておいてもよい。たとえば、表示制御部２１４は、文字取得部２１２が取得した文字データに応じた文字を表示する前に、複数の画素群のそれぞれを、文字を表示させたときよりも薄い濃度（階調）で、予め表示させておいてもよい。表示制御部２１４は、たとえば、複数の画素群のそれぞれで黒を表示した後に、複数の画素群それぞれの表示を白に切り替えることで、複数の画素群それぞれに残像を残しておいてもよい。この時の残像は黒と白の間の中間の階調レベルになる。これにより、文字の表示に用いられなかった画素群でも既に残像が生じているので、文字を消去したときに生じる残像が、文字の表示に用いられなかった画素群で生じている残像にまぎれる。そのため、文字を消去したときに生じる残像をより目立たなくすることができる。また、文字の書き込みと消去を繰り返すと、残像が蓄積され、画素群によって残像の濃さが異なることがある。しかし、文字を表示する前に既に複数の画素群のそれぞれに残像が生じているため、ユーザーが不均一な濃度の残像から受ける不快感を低減することが出来る。さらに、文字の表示に用いられた画素群と、文字の表示に用いられなかった画素群とでは、表示される階調レベルが異なるので、ユーザーは、表示された文字を容易に認識することができる。なお、一の画素群に残像を残すとき、必ずしも該一の画素群に含まれる全ての画素に、残像を残さなくてもよい。要は、文字を消去したときに生じる残像が目立ちにくいように、画素群の形状にほぼ対応する領域に残像を残せばよい。
【００３１】
図３は、ディスプレイ１２０に表示された画面の一例を示す。ディスプレイ１２０には、主画面３００が表示されている。たとえば、主画面３００は、文書を作成および表示する文書ソフトウェアの表示画面である。たとえば、主画面３００は、既に作成されている文書を表示する。また、キーボード１１５から入力された文字を用いて、新規文書を作成する。また、キーボード１１５から入力された文字を用いて、既に作成されている文書を編集する。
【００３２】
主画面３００上には、副画面３１０が重ねて表示されている。副画面３１０は、表示されることで文字入力をユーザーに促す。副画面３１０は、文字入力枠３１２を有する。文字入力枠３１２は、本発明にかかる文字表示領域の一例である。副画面３１０が表示されている状態で、キーボード１１５によって文字データに応じた文字が入力された場合、入力された文字データに応じた文字は、文字入力枠３１２内に表示される。そして、文字入力枠３１２に文字が表示されている状態で、確定ボタン３１４が押下されることにより、文字入力枠３１２に表示されている文字が主画面３００の所定の位置に表示される。
【００３３】
このとき、表示制御部２１４は、ディスプレイ１２０の画素電極を部分的に駆動させることにより、文字を文字入力枠３１２内に表示させる。また、表示制御部２１４は、ディスプレイ１２０の画素電極を全体的に駆動させることにより、文字を主画面３００の所定の位置に表示させる。これにより、文字の表示にかかる画素電極の駆動時間および消費電力量を抑えることができる。これに限らず、表示制御部２１４は、ディスプレイ１２０の画素電極を全体的に駆動させることにより、文字を文字入力枠３１２内に表示させてもよい。また、表示制御部２１４は、ディスプレイ１２０の画素電極を部分的に駆動させることにより、文字を主画面３００の所定の位置に表示させてもよい。
【００３４】
このように、図３では、副画面３１０を介して、主画面３００に文字を入力する構成例を示したが、これに限らず、副画面３１０を介さずに、主画面３００に直接文字を入力することができるようにしてもよい。この場合、文字表示領域はたとえば、主画面３００に表示され、編集されている文書のうち、現在編集されている行に対応する領域であり、副画面３１０が表示されなくてもよい。また、本発明にかかる文字表示領域は、主画面３００上に設けられていてもよい。
【００３５】
なお、副画面３１０は、主画面３００が表示されている間、常に表示されているものであってもよい。また、副画面３１０は、主画面３００が表示され、かつ表示装置１００が文字入力モード（ユーザーが文字を入力するモード）に遷移した場合に、表示されるものであってもよい。また、副画面３１０は、主画面に対して並べて表示されていてもよい。また、副画面３１０は、主画面３００に表示する文字を確定するためのものに限らず、検索キーワードを入力するものなど、文字の入力を必要とするその他の機能に用いられるものであってもよい。
【００３６】
図４は、文字入力枠３１２の構成例を示す。文字入力枠３１２には、複数の部分領域４００が所定の間隔を有して横一列に並べて設けられている。表示制御部２１４は、一つの部分領域４００に対して、文字を一つだけ表示させる。各部分領域４００は、複数の画素群４０２を含む。図４に示す例では、複数の画素群４０２のそれぞれは、表示セグメント形状を有する。また、一つの部分領域４００は、英語のアルファベットやアラビア数字を表示するため、図４に示したように、互いに形状が異なる複数の画素群４０２を有する。図４では、全ての画素群４０２を表示させた例を示す。図４において、着色されている部分は、文字の表示に用いる複数の画素からなる領域（すなわち、複数の画素群４０２）を示す。一方、着色されていない部分は、文字の表示に用いない複数の画素からなる領域（すなわち、複数の画素群４０２以外の領域）を示す。表示制御部２１４は、複数の画素群４０２を選択的に組み合わせ、これを文字として表示させる。
【００３７】
ここで、図４に示すように、互いに隣り合う2つの画素群４０２同士は、文字の表示に用いない画素（すなわち、文字も残像も表示されない画素）が間に設けられていることで、互いに離間している。これにより、たとえば文字が表示され、この表示に用いられた複数の画素群４０２が着色されたときに、相対的にこれら複数の画素群４０２の輪郭を強調することができ、結果的に文字入力枠３１２に表示された文字を強調する効果を得ることができる。なお、文字入力枠３１２には、カーソルや、句読点などの制御文字を表示することができる。表示制御部２１４は、制御文字を、部分領域４００に表示させてもよい。この場合、表示制御部２１４は、部分領域４００において、画素群４０２を用いて制御文字を表示させてもよく、画素群４０２以外の画素を用いて制御文字を表示させてもよい。他の例として、表示制御部２１４は、部分領域４００以外の領域に制御文字を表示させてもよい。
【００３８】
なお、部分領域４００および複数の画素群４０２のそれぞれは、文字入力枠３１２に表示される文字のフォントサイズ、文字の複雑さなどによって、形状、大きさ等が異なるものであってもよい。たとえば、文字入力枠３１２に表示される文字のフォントサイズがより大きいほど、複数の画素群４０２のそれぞれのサイズをより大きくし、これに応じて、部分領域４００のサイズをより大きくしてもよい。他の例として、文字入力枠３１２に表示される文字のフォントサイズがより大きいほど、部分領域４００のサイズをより大きくし、これに応じて、部分領域４００内における画素群４０２の数を増やしてもよい。他の例として、文字入力枠３１２に漢字などのより複雑な文字が表示される場合、これに応じて、部分領域４００内における画素群４０２のサイズを小さくし、数を増やしてもよい。
【００３９】
図５は、表示制御部２１４による表示制御処理（表示制御工程における処理）の手順の一例を示す。ここでは、主画面３００が表示されている状態からの、表示制御部２１４による表示制御処理の一例を説明する。
【００４０】
まず、表示制御部２１４は、文字入力モードが開始されると（ステップＳ５０２）、ディスプレイ１２０に既に表示されている主画面３００上に、副画面３１０を重ねて表示させる（ステップＳ５０４）。たとえば、表示制御部２１４は、図３に示したように、文字入力枠３１２を有する副画面３１０を表示する。
【００４１】
つぎに、表示制御部２１４は、文字入力枠３１２に含まれている複数の画素群４０２の全てを表示する（ステップＳ５０６）。そして、表示制御部２１４は、文字入力枠３１２に含まれている複数の画素群４０２の全ての表示を消去する（ステップＳ５０８）。これにより、表示制御部２１４は、文字入力枠３１２に含まれている複数の画素群４０２の全てに残像を発生させる。ここで生じた残像は、後で説明するステップＳ５１４を実行するまでは、自発的に完全に消えることはない。
【００４２】
つぎに、表示制御部２１４は、キーボード１１５によって文字入力モードの終了コードが入力されたか否かを判断する（ステップＳ５１０）。ステップＳ５１０において、「文字入力モードの終了コードが入力された」と判断した場合（ステップＳ５１０：Ｙｅｓ）、表示制御部２１４は、文字入力枠３１２に表示されている文字列を主画面３００に表示（ステップＳ５１２）する。そして、表示制御部２１４は、副画面３１０の表示を消去して（ステップＳ５１４）、表示制御処理を終了する。一方、ステップＳ５１０において、「文字入力モードの終了コードが入力されていない」と判断した場合（ステップＳ５１０：Ｎｏ）、表示制御部２１４は、ステップＳ５１６へ処理を進める。
【００４３】
ステップＳ５１６では、表示制御部２１４は、キーボード１１５によってｂａｃｋｓｐａｃｅが入力されたか否かを判断する（ステップＳ５１６）。ステップＳ５１６において、「ｂａｃｋｓｐａｃｅが入力された」と判断した場合（ステップＳ５１６：Ｙｅｓ）、表示制御部２１４は、文字入力枠３１２に表示されているカーソルの現在位置の前の文字の表示を消去して（ステップＳ５１８）、消去した文字の前にカーソルの現在位置を移動させる（ステップＳ５２０）。そして、表示制御部２１４は、ステップＳ５１０へ処理を戻す。一方、ステップＳ５１６において、「ｂａｃｋｓｐａｃｅが入力されていない」と判断した場合（ステップＳ５１６：Ｎｏ）、表示制御部２１４は、ステップＳ５２２へ処理を進める。
【００４４】
ステップＳ５２２では、表示制御部２１４は、キーボード１１５によって文字データが入力されたか否かを判断する（ステップＳ５２２）。ステップＳ５２２において、「文字データが入力された」と判断した場合（ステップＳ５２２：Ｙｅｓ）、表示制御部２１４は、文字入力枠３１２に表示されているカーソルの現在位置の後ろの部分領域４００に、入力された文字データに応じた文字を表示させる（ステップＳ５２４）。そして、文字を表示した部分領域４００の後にカーソルの現在位置を移動させ（ステップＳ５２６）、ステップＳ５１０へ処理を戻す。一方、ステップＳ５２２において、「文字データが入力されていない」と判断した場合（ステップＳ５２２：Ｎｏ）、表示制御部２１４は、ステップＳ５１０へ処理を戻す。
【００４５】
図６〜図１３は、表示制御処理による文字の表示例を示す。図６〜図１３に示すように、文字入力枠３１２は、２０個の部分領域４００が横一列に並べて設けられている。すなわち、文字入力枠３１２には、最大で２０個の文字が、横一列に並べて表示される。
【００４６】
まず、表示制御部２１４は、図６に示すように、ステップＳ５０６およびステップＳ５０８の処理をおこなうことにより、文字入力枠３１２に含まれている複数の画素群４０２の全てを表示し、これを消去する。具体的には、図４に示したように白地に黒の文字を表示するならば、文字入力枠３１２に含まれる全ての画素であらかじめ白を表示しておく。そして、ステップＳ５０６において、図６に示したように全ての画素群４０２の表示を黒に切り替える。さらにＳ５０８において、全ての画素群４０２の表示を白に切り替える。これにより、図７に示すように、文字入力枠３１２に含まれている複数の画素群４０２において、ステップＳ５０６で表示した黒画像の残像が残る。Ｓ５０８で得られた残像を初期残像と呼ぶことにする。なお、図７以降では、便宜上、ある時刻において文字入力枠３１２に生じている残像の相対的な濃さを表現するために、文字入力枠３１２に生じている残像のうち比較的薄い残像の縁を点線で示し、また、比較的濃い残像の縁を実線で示し、さらに濃い残像については、残像の縁を実線で示すとともに、斜線でハッチングを施してある。残像のこのような表現方法は、ある時刻において生じている残像の濃さの空間的な分布を表すものであって、残像の濃さの時間的な変化を表すものではない。
【００４７】
そして、文字入力枠３１２に文字が表示されていない状態から、キーボード１１５によって文字列「ＴＨＩＳ  ＩＳ  Ａ  ＰＥＮ」が入力された場合、表示制御部２１４は、ステップＳ５２２からステップＳ５２６までの処理をこの文字列の文字数分（１３回）繰り返しおこなうことにより、図８に示すように、文字入力枠３１２に文字列「ＴＨＩＳ  ＩＳ  Ａ  ＰＥＮ」を表示させ、この後ろにカーソル８００の現在位置を移動させる。ここで、図７に示した初期残像が残ったまま、文字入力枠３１２に文字列「ＴＨＩＳ  ＩＳ  Ａ  ＰＥＮ」が表示される。このとき、文字入力枠３１２には、文字列「ＴＨＩＳ  ＩＳ  Ａ  ＰＥＮ」が初期残像と重なって表示されるが、その文字列を構成する複数の画素群４０２は、初期残像を構成する複数の画素群４０２の一部である。このように、表示される文字の画像は、画素群４０２単位で初期残像と重なっている。また、初期残像が残っている画素群４０２を用いて新たな画像が表示されるため、初期残像の一部は表示しようとする画像によって上書きされる。この文字列と重なっていない画素群４０２には初期残像が残っているため、この画素群４０２の表示濃度は、この文字列と重なっている画素群４０２の表示濃度よりも低く、かつ初期残像は予め定められた表示セグメント形状に生じている。そのため、この初期残像が目立つことはなく、ユーザーは、文字入力枠３１２において、文字列「ＴＨＩＳ  ＩＳ  Ａ  ＰＥＮ」を容易かつ違和感なく認識することができる。
【００４８】
さらに、キーボード１１５によってｂａｃｋｓｐａｃｅが４回入力された場合、表示制御部２１４は、ステップＳ５１６からステップＳ５２０までの処理を４回繰り返しおこなうことにより、図９に示すように、「  ＰＥＮ」の表示を消去し、残った文字列「ＴＨＩＳ  ＩＳ  Ａ」の後ろにカーソル８００の現在位置を移動させる。「ＰＥＮ」の表示が消去されたことによって、「ＰＥＮ」という文字の残像が初期残像に加えられるため、残像の濃さの分布は図９に示したように不均一になる。
【００４９】
さらに、キーボード１１５によって文字列「Ｎ  ＡＰＰＬＥ」が入力された場合、表示制御部２１４は、ステップＳ５２２からステップＳ５２６までの処理をこの文字列の文字数分（７回）繰り返しおこなうことにより、図１０に示すように、文字入力枠３１２に対し、すでに表示されている文字列「ＴＨＩＳ  ＩＳ  Ａ」に続いて文字列「Ｎ  ＡＰＰＬＥ」を表示させ、この後ろにカーソル８００の現在位置を移動させる。このとき、文字入力枠３１２には、文字列「ＴＨＩＳ  ＩＳ  ＡＮ  ＡＰＰＬＥ」が、初期残像と、消去した文字列「ＰＥＮ」の残像とに重なって表示されているが、表示される文字の画像は、画素群４０２単位で残像と重なっている。この文字列と重ならず、かつ残像が残っている画素群４０２の表示濃度は、この文字列と重なっている画素群４０２の表示濃度よりも低い。さらに、これらの残像は予め定められた表示セグメント形状に生じている。そのため、これらの残像が目立つことはなく、ユーザーは、文字入力枠３１２において、文字列「ＴＨＩＳ  ＩＳ  ＡＮ  ＡＰＰＬＥ」を容易かつ違和感なく認識することができる。
【００５０】
さらに、キーボード１１５によってｂａｃｋｓｐａｃｅが１６回入力された場合、表示制御部２１４は、ステップＳ５１６からステップＳ５２０までの処理を１６回繰り返しおこなうことにより、図１１に示すように、文字列「ＴＨＩＳ  ＩＳ  ＡＮ  ＡＰＰＬＥ」の表示を消去し、カーソル８００の現在位置を先頭に移動させる。文字列「ＴＨＩＳ  ＩＳ  ＡＮ  ＡＰＰＬＥ」の表示が消去されることによって、「ＴＨＩＳ  ＩＳ  ＡＮ  ＡＰＰＬＥ」という文字の残像が、初期残像と「ＰＥＮ」という文字の残像に加えられるため、残像の濃さの分布は図１１に示したように、さらに不均一になる。
【００５１】
さらに、キーボード１１５によって文字列「ＩＳ  ＴＨＩＳ  ＡＮ  ＯＲＡＮＧＥ？」が入力された場合、表示制御部２１４は、ステップＳ５２２からステップＳ５２６までの処理をこの文字列の文字数分（１８回）繰り返しおこなうことにより、図１２に示すように、文字入力枠３１２に対し、文字列「ＩＳ  ＴＨＩＳ  ＡＮ  ＯＲＡＮＧＥ？」を表示させ、この後ろにカーソル８００の現在位置を移動させる。このとき、文字入力枠３１２には、文字列「ＩＳ  ＴＨＩＳ  ＡＮ  ＯＲＡＮＧＥ？」が、初期残像と、文字列「ＰＥＮ」の残像と、文字列「ＴＨＩＳ  ＩＳ  ＡＮ  ＡＰＰＬＥ」の残像とに重なって表示されているが、表示される文字の画像は、画素群４０２単位で残像と重なっている。この文字列と重ならず、かつ残像が残っている画素群４０２の表示濃度は、この文字列と重なっている画素群４０２の表示濃度よりも低い。さらに、これらの残像は予め定められた表示セグメント形状に生じている。そのため、これらの残像が目立つことはなく、ユーザーは、文字入力枠３１２において、文字列「ＩＳ  ＴＨＩＳ  ＡＮ  ＯＲＡＮＧＥ？」を容易かつ違和感なく認識することができる。
図６から図１２に示したような課程を経て「ＩＳ  ＴＨＩＳ  ＡＮ  ＯＲＡＮＧＥ？」という文字を文字入力枠３１２に表示させた場合、「ＴＨＩＳ  ＩＳ  ＡＮ  ＡＰＰＬＥ」という文字の残像と「ＰＥＮ」という文字の残像が初期残像に加えられるため、残像の濃さの分布は図１１に示したように不均一になっている。しかし、これらの残像は予め定められた表示セグメント形状に生じているため、いろいろな文字の残像が蓄積された場合でも、ユーザーは、残像に対して強い不快感を感じることなく、文字入力枠３１２に表示されている文字列を容易かつ違和感なく認識することができる。
【００５２】
そして、図１３に示すように、文字列「ＩＳ  ＴＨＩＳ  ＡＮ  ＯＲＡＮＧＥ？」が文字入力枠３１２に表示されている状態から、確定ボタン３１４が押下された場合、表示制御部２１４は、文字列「ＩＳ  ＴＨＩＳ  ＡＮ  ＯＲＡＮＧＥ？」を主画面３００の所定の位置に表示する。その後、表示制御部２１４は、副画面３１０の表示を消去させてもよく、副画面３１０を表示させたままとしてもよい。
【００５３】
このように、表示制御部２１４は、予め定められた表示セグメント形状を有する複数の画素群４０２を用いて、文字入力枠３１２に文字を表示させる。これにより、予め定められた表示セグメント形状を有する画素群４０２単位で、消去された文字の残像を表示させることができる。また、消去された文字の残像と、新たに入力された文字とを画素群４０２単位で重ねて表示させることができる。これにより、削除された文字の残像を目立たなくし、ユーザーに対して与える違和感を軽減することができる。
【００５４】
（実施例２）
続いて、実施例２を説明する。実施例１では、画素群の形状を表示用セグメント形状とする例について説明したが、実施例２では、画素群の形状をドット形状とする例について説明する。図１４は、文字入力枠３１２の他の構成例を示す。文字入力枠３１２には、複数の部分領域４１０が所定の間隔を有して横一列に並べて設けられている。表示制御部２１４は、一つの部分領域４１０に対して、文字を一つだけ表示させる。各部分領域４１０は、複数の画素群４１２を含む。図１４に示す例では、複数の画素群４１２のそれぞれは、ドッド形状を有する。図１４では、全ての画素群４１２を表示させた例を示す。図１４において、着色されている部分は、文字の表示に用いる複数の画素からなる領域（すなわち、複数の画素群４１２）を示す。一方、着色されていない部分は、文字の表示に用いない複数の画素からなる領域（すなわち、複数の画素群４１２以外の領域）を示す。表示制御部２１４は、複数の画素群４１２を選択的に組み合わせ、これを文字として表示させる。
【００５５】
ここで、図１４に示すように、隣り合う画素群４１２同士は、文字の表示に用いない画素（すなわち、文字も残像も表示されない画素）が間に設けられていることで、互いに離間している。そのため、実施例１の場合と同様に、各々の内部で階調レベルが均一な互いに隣り合う２つの画素群の間に、文字の表示に用いない画素が設けられているため、互いに隣り合う２つの画素群の間に階調レベルの差があっても、その階調レベルの差は認識されにくい。そのため、ユーザーが不快感を覚えることを低減できる。
【００５６】
なお、部分領域４１０および複数の画素群４１２のそれぞれは、文字入力枠３１２に表示される文字のフォントサイズ、文字の複雑さなどによって、形状、大きさ等が異なるものであってもよい。たとえば、文字入力枠３１２に表示される文字のフォントサイズがより大きいほど、複数の画素群４１２のそれぞれのサイズをより大きくし、これに応じて、部分領域４００のサイズをより大きくしてもよい。他の例として、文字入力枠３１２に表示される文字のフォントサイズがより大きいほど、部分領域４１０のサイズをより大きくし、これに応じて、部分領域４１０内における画素群４１２の数を増やしてもよい。他の例として、文字入力枠３１２に漢字などのより複雑な文字が表示される場合、これに応じて、部分領域４１０内における画素群４１２のサイズを小さくし、数を増やしてもよい。
【００５７】
図１５〜図１７は、表示制御処理による文字の他の表示例を示す。図１５〜図１７に示すように、文字入力枠３１２は、２０個の部分領域４１０が横一列に並べて設けられている。すなわち、文字入力枠３１２には、最大で２０個の文字が、横一列に並べて表示される。
【００５８】
まず、表示制御部２１４は、図１５に示すように、ステップＳ５０６およびステップＳ５０８の処理をおこなうことにより、文字入力枠３１２に含まれている複数の画素群４１２の全てを表示し、これを消去する。具体的には、図１４に示したように白地に黒の文字を表示するならば、文字入力枠３１２に含まれる全ての画素であらかじめ白を表示しておく。そして、図１５に示したように全ての画素群４１２の表示を黒に切り替える。全ての画素群４１２の表示を白に切り替える。これにより、図１６に示すように、文字入力枠３１２に含まれている複数の画素群４１２において、表示した黒画像の残像が残る。なお、図１６以降では、便宜上、残像を点線で示している。
【００５９】
そして、文字入力枠３１２に文字が表示されていない状態から、キーボード１１５によって文字列「Ｉｓ  ｔｈｉｓ  ａｎ  ｏｒａｎｇｅ？」が入力された場合、表示制御部２１４は、ステップＳ５２２からステップＳ５２６までの処理をこの文字列の文字数分（１８回）繰り返しおこなうことにより、図１７に示すように、文字入力枠３１２に文字列「Ｉｓ  ｔｈｉｓ  ａｎ  ｏｒａｎｇｅ？」を表示させ、この後ろにカーソル８００の現在位置を移動させる。ここで、図１７に示す例では、文字入力枠３１２には、文字列「Ｉｓ  ｔｈｉｓ  ａｎ  ｏｒａｎｇｅ？」が図１６に示した初期残像と重なって表示されているが、表示される文字の画像は、画素群４１２単位で残像と重なっている。この文字列と重ならず、かつ残像が残っている画素群４１２の表示濃度は、この文字列と重なっている画素群４１２の表示濃度よりも低い。さらに、これらの残像は予め定められたドット形状に生じている。そのため、これらの残像が目立つことはなく、ユーザーは、文字入力枠３１２において、文字列「Ｉｓ  ｔｈｉｓ  ａｎ  ｏｒａｎｇｅ？」を容易かつ違和感なく認識することができる。
【００６０】
このように、表示制御部２１４は、予め定められたドット形状を有する複数の画素群４１２を用いて、文字入力枠３１２に文字を表示させる。これにより、予め定められたドット形状を有する画素群４１２単位で、消去された文字の残像を表示させることができる。また、消去された文字の残像と、新たに入力された文字とを画素群４１２単位で重ねて表示させることができる。これにより、削除された文字の残像を目立たなくし、ユーザーに対して与える違和感を軽減することができる。
【００６１】
本発明の表示制御方法、表示制御装置、およびプログラムは、実施例１および実施例２の表示装置１００に限らず、表示部に文字を表示することが可能な様々な情報処理装置に適用することができる。特に、実施例１および実施例２の表示装置１００のように、電気泳動方式を利用した表示部を有する情報処理装置は、表示画面の書き換え時に書き換え前の情報の残像が残りやすい。このため、このような情報処理装置に本発明の表示制御方法、表示制御装置、およびプログラムを適用することで、より高い効果を得ることができる。
【００６２】
図１８は、表示装置１００のハードウェア構成の一例を示す。表示装置１００は、図１で説明したディスプレイ１２０、ディスプレイ駆動回路１２２、およびキーボード１１５に加えて、ＣＰＵ１５０５、ＲＯＭ１５１０、ＲＡＭ１５２０、ＨＤ（ハードディスク）ドライブ１５２５、通信インターフェース１５３０、外部メモリードライブ１５４０、および外部メモリー１５４２をさらに備える。
【００６３】
ＲＯＭ１５１０、ＲＡＭ１５２０、およびＨＤドライブ１５２５は、各種データおよび各種プログラムを格納する。ＣＰＵ１５０５は、ＲＯＭ１５１０、ＲＡＭ１５２０、またはＨＤドライブ１５２５に格納されたプログラムを実行することで、各種データ処理および各種ハードウェア制御をおこなう。
【００６４】
通信インターフェース１５３０は、通信ネットワークに接続し、通信ネットワークを介して外部装置に対するデータの送受信をおこなう。外部メモリードライブ１５４０は、外部メモリー１５４２に接続し、外部メモリー１５４２に対するデータの送受信をおこなう。外部メモリー１５４２としては、たとえば、メモリーカードが挙げられる。外部メモリー１５４２は、フレキシブルディスク、ＣＤ、ＤＶＤ等の記録媒体であってもよい。
【００６５】
たとえば、図２に示した文字取得部２１２は、ＲＯＭ１５１０、ＲＡＭ１５２０、またはＨＤドライブ１５２５に格納された表示制御プログラム（本発明にかかるプログラム）をＣＰＵ１５０５が実行することによって、その機能が実現される。また、図２に示した、表示制御部２１４は、ＲＯＭ１５１０、ＲＡＭ１５２０、またはＨＤドライブ１５２５に格納された表示制御プログラムをＣＰＵ１５０５が実行し、ＣＰＵ１５０５がディスプレイ駆動回路１２２を制御することによって、その機能が実現される。
【００６６】
表示制御プログラムは、外部メモリー１５４２に格納されているものであってもよく、外部装置が備えるメモリー、ハードディスクなどの記録媒体に格納されているものであってもよい。また、表示制御プログラムは、あらかじめ、ＲＯＭ１５１０、ＲＡＭ１５２０、またはＨＤドライブ１５２５に格納されていてもよい。また、表示制御プログラムは、外部メモリー１５４２によって、または外部装置から通信ネットワークを介して、表示装置１００に提供されてもよい。
【００６７】
（変形例）
実施例１および２においては、図５（ステップＳ５０６、ステップＳ５０８）、図６、および図７で説明したように、複数の画素群のそれぞれに、残像を予め表示させておくこととしたが、このような処理をおこなわない構成としてもよい。すなわち、複数の画素群のそれぞれに残像が表示されていない状態から、文字の表示をおこなうようにしてもよい。この変形例においても、文字表示領域において、予め定められた形状をなす画素群を複数用いて文字を表示させる、という点では、実施例１および２と同様である。このため、この変形例においても、実施例１および２と同様に、文字列を消去しこの文字列の残像が残った状態で、新たな文字列を表示した場合、この残像と、この書き込んだ文字列とが、画素群単位で重なる。この文字列と重ならない画素群については、残像が生じているが、この残像はこの文字列と重なっている画素群の表示濃度よりも低く、かつ予め定められた形状（セグメント形状、ドット形状等）に生じているため、この残像が目立つことはない。よって、この変形例においても、ユーザーは、文字表示領域において、新たに書き込まれた文字列を容易かつ違和感なく認識することができる。
【符号の説明】
【００６８】
１００…表示装置、１１０…筐体、１１５…キーボード、１２０…ディスプレイ、２１２…文字取得部、２１４…表示制御部、３００…主画面、３１０…副画面、３１２…文字入力枠、３１４…確定ボタン、４００…部分領域、４０２…画素群、４１０…部分領域、４１２…画素群、８００…カーソル
【図１】
2011242659.tif 000003
【図２】
2011242659.tif 000004
【図３】
2011242659.tif 000005
【図４】
2011242659.tif 000006
【図５】
2011242659.tif 000007
【図６】
2011242659.tif 000008
【図７】
2011242659.tif 000009
【図８】
2011242659.tif 000010
【図９】
2011242659.tif 000011
【図１０】
2011242659.tif 000012
【図１１】
2011242659.tif 000013
【図１２】
2011242659.tif 000014
【図１３】
2011242659.tif 000015
【図１４】
2011242659.tif 000016
【図１５】
2011242659.tif 000017
【図１６】
2011242659.tif 000018
【図１７】
2011242659.tif 000019
【図１８】
2011242659.tif 000020